(57)【要約】【課題】エレベータの発熱部品の空冷のためのファンの適切な駆動制御を行なう。【解決手段】実施形態によれば、電動機の回生電力を消費する抵抗器と、乗りかごの次の行先階までの走行パターンおよび荷重検出手段による検出結果をもとに、乗りかごが次の行先階までに回生運転を行なうか否かを判別する判別手段と、次の行先階までに回生運転を行なう場合に、回生運転開始から乗りかごが次の行先階に応答するまでのインバータの制御電流値を算出する制御電流算出手段とをもつ。また、抵抗器の温度、制御電流値、および、回生運転開始から乗りかごが次の行先階へ応答するまでの所要時間をもとに、走行パターンによる走行における抵抗器の温度を予測する温度予測手段と、予測した温度の最大値が所定の基準値以上である場合にファンを回転駆動させ、最大値が基準値未満である場合にファンを停止させるファン制御手段とをもつ。【選択図】      図１
2012144357.tif 000002
【特許請求の範囲】
【請求項１】
交流電源からの交流電力を直流電力に変換する整流回路と、
前記整流回路で変換された直流電力の脈動を平滑化する平滑コンデンサと、
前記平滑化された直流電力を可変電圧可変周波数の交流電力に変換して出力するインバータと、
前記インバータから出力された交流電力で駆動して乗りかごを昇降させる電動機と、
スイッチング素子を介して前記インバータの直流側と接続され、前記電動機の回生電力を消費する抵抗器と、
前記抵抗器を空冷するためのファンと、
前記乗りかごの荷重を検出する荷重検出手段と、
前記乗りかごの次の行先階までの走行パターンおよび前記荷重検出手段による検出結果をもとに、前記乗りかごが前記次の行先階までに回生運転を行なうか否かを判別する判別手段と、
前記抵抗器の温度を測定する温度測定手段と、
前記乗りかごが前記次の行先階までに回生運転を行なうと前記判別手段により判別した場合に、前記走行パターンで示される、回生運転開始から前記乗りかごが前記次の行先階に応答するまでの前記インバータの制御電流値を算出する制御電流算出手段と、
前記温度検出手段により検出した温度、前記制御電流算出手段により算出した制御電流値、および、前記走行パターンで示される、回生運転開始から前記乗りかごが前記次の行先階に応答するまでの所要時間をもとに、前記走行パターンによる走行における前記抵抗器の温度を予測する温度予測手段と、
前記温度予測手段により予測した温度の最大値が所定の基準値以上である場合に前記ファンを回転駆動させ、前記予測した温度の最大値が前記基準値未満である場合に前記ファンを停止させるファン制御手段と
を備えたことを特徴とするエレベータ。
【請求項２】
交流電源からの交流電力を直流電力に変換する整流回路と、
前記整流回路で変換された直流電力の脈動を平滑化する平滑コンデンサと、
前記平滑化された直流電力を可変電圧可変周波数の交流電力に変換して出力するインバータと、
前記インバータから出力された交流電力で駆動して乗りかごを昇降させる電動機と、
スイッチング素子を介して前記インバータの直流側と接続され、前記電動機の回生電力を消費する抵抗器と、
前記抵抗器を空冷するためのファンと、
前記乗りかごの荷重を検出する荷重検出手段と、
前記乗りかごの次の行先階までの走行パターンおよび前記荷重検出手段による検出結果をもとに、当該乗りかごが当該行先階までに回生運転を行なうか否かを判別する判別手段と、
前記乗りかごが前記次の行先階までに回生運転を行なうと前記判別手段により判別した場合に、前記走行パターンで示される、回生運転開始から前記乗りかごが前記次の行先階に応答するまでの前記インバータの制御電流値を算出する制御電流算出手段と、
前記抵抗器の温度の所定の初期値、前記制御電流検出手段により検出した制御電流値、および、前記走行パターンで示される、回生運転開始から前記乗りかごが前記次の行先階に応答するまでの所要時間をもとに、前記走行パターンによる走行における前記抵抗器の温度を予測する第１の温度予測手段と、
前記第１の温度予測手段による予測がなされた後で、前記乗りかごが次の行先階までに回生運転を行なうと前記判別手段により判別した場合に、前記第１の温度予測手段により予測した前回の回生運転終了時の温度、および、前回の回生運転終了時からの経過時間をもとに前記抵抗器の現在の温度を推定する温度推定手段と、
前記温度推定手段により推定した温度、前記制御電流算出手段により算出した制御電流値、および、前記走行パターンで示される、回生運転開始から前記乗りかごが前記次の行先階に応答するまでの所要時間をもとに、前記走行パターンによる走行における前記抵抗器の温度を予測する第２の温度予測手段と、
前記第１または第２の温度予測手段により予測した温度の最大値が所定の基準値以上である場合に前記ファンを回転駆動させ、前記第１または第２の温度予測手段により予測した温度の最大値が前記基準値未満である場合に前記ファンを停止させるファン制御手段と
を備えたことを特徴とするエレベータ。
【請求項３】
前記ファン制御手段は、
前記乗りかごが前記次の行先階までに回生運転を行なうと前記判別手段により判別した場合に、前記温度予測手段による予測を行なう前に前記ファンを回転駆動させる
ことを特徴とする請求項１に記載のエレベータ。
【請求項４】
前記ファンは、前記抵抗器および前記インバータのスイッチング素子を空冷するためのものであり、
前記スイッチング素子の温度を測定する第２の温度測定手段をさらに備え、
前記ファン制御手段は、
前記温度予測手段により予測した前記抵抗器の温度の最大値が所定の基準値以上である場合、もしくは、前記第２の温度測定手段により測定した前記スイッチング素子の温度が所定の基準値以上である場合に前記ファンを回転駆動させ、前記第２の温度測定手段により測定した前記スイッチング素子の温度が前記基準値未満である場合、かつ、前記温度予測手段により予測した前記抵抗器の温度の最大値が前記基準値未満である場合には、前記ファンを停止する
ことを特徴とする請求項１に記載のエレベータ。
【請求項５】
前記ファン制御手段は、
前記温度予測手段により予測した前記抵抗器の温度の最大値が前記基準値以上である場合であって、当該最大値が前記基準値より高い所定の許容値以下である場合には、前記第２の温度測定手段により測定した前記スイッチング素子の温度変化が所定の範囲内となるように前記ファンを回転駆動または停止させ、当該最大値が前記許容値を超える場合には、前記ファンの回転駆動を維持する
ことを特徴とする請求項４に記載のエレベータ。
【請求項６】
前記スイッチング素子は、前記ファンと前記抵抗器との間に位置し、
前記ファン制御手段は、
前記温度予測手段により予測した前記抵抗器の温度の最大値が所定の基準値以上である場合に前記ファンを回転駆動させた後、前記第２の温度測定手段により測定した前記スイッチング素子の温度が前記基準値より低い所定の第２の基準値以下となった場合に、前記抵抗器から生じた熱が前記スイッチング素子に伝達されるように前記ファンを逆回転駆動させる
ことを特徴とする請求項４に記載のエレベータ。
【発明の詳細な説明】
【技術分野】
【０００１】
本発明の実施形態は、発熱部品の冷却機能を有するエレベータに関する。
【背景技術】
【０００２】
従来、エレベータのインバータ装置のスイッチング素子などの発熱部品の過度の温度上昇を防止するための空冷ファンが設けられており、インバータ装置の動作時に空冷ファンが動作して当該インバータ装置のスイッチング素子を冷却している。
【先行技術文献】
【特許文献】
【０００３】
【特許文献１】実開平５−０９５９６５号公報
【特許文献２】特開２００６−１９９４６５号公報
【発明の概要】
【発明が解決しようとする課題】
【０００４】
エレベータ運転の負荷は、常時最大負荷状態にあるのではなく、乗りかごの荷重や昇降方向により変動する。このように、エレベータ運転の負荷が常時最大負荷状態にはないにも関わらず、従来は、エレベータの運転中は、最大負荷状態時の発熱部品の過度の温度上昇を防止する事を前提として、空冷ファンが常に回転駆動している。
【０００５】
つまり、エレベータの運転中でも、この運転の負荷が低く、発熱部品の空冷が必要ない状態であっても空冷ファンが回転駆動するので、空冷のための電力の無駄な消費の原因となっていた。
【０００６】
本発明が解決しようとする課題は、発熱部品の空冷のためのファンの適切な駆動制御を行なうことが可能になるエレベータを提供することにある。
【課題を解決するための手段】
【０００７】
実施形態によれば、交流電源からの交流電力を直流電力に変換する整流回路と、前記整流回路で変換された直流電力の脈動を平滑化する平滑コンデンサと、前記平滑化された直流電力を可変電圧可変周波数の交流電力に変換して出力するインバータと、前記インバータから出力された交流電力で駆動して乗りかごを昇降させる電動機と、スイッチング素子を介して前記インバータの直流側と接続され、前記電動機の回生電力を消費する抵抗器と、前記抵抗器を空冷するためのファンと、前記乗りかごの荷重を検出する荷重検出手段とをもつ。また、前記乗りかごの次の行先階までの走行パターンおよび前記荷重検出手段による検出結果をもとに、前記乗りかごが前記次の行先階までに回生運転を行なうか否かを判別する判別手段と、前記抵抗器の温度を測定する温度測定手段と、前記乗りかごが前記次の行先階までに回生運転を行なうと前記判別手段により判別した場合に、前記走行パターンで示される、回生運転開始から前記乗りかごが前記次の行先階に応答するまでの前記インバータの制御電流値を算出する制御電流算出手段とをもつ。また、前記温度検出手段により検出した温度、前記制御電流算出手段により算出した制御電流値、および、前記走行パターンで示される回生運転開始から前記乗りかごが前記次の行先階に応答するまでの所要時間をもとに、前記走行パターンによる走行における前記抵抗器の温度を予測する温度予測手段と、前記温度予測手段により予測した温度の最大値が所定の基準値以上である場合に前記ファンを回転駆動させ、前記予測した温度の最大値が前記基準値未満である場合に前記ファンを停止するファン制御手段とをもつ。
【図面の簡単な説明】
【０００８】
【図１】第１の実施形態におけるエレベータ制御装置の構成例を示すブロック図。
【図２】第１の実施形態におけるエレベータ制御装置の空冷ファンの回転駆動のための処理動作の一例を示すフローチャート。
【図３】第２の実施形態におけるエレベータ制御装置の構成例を示すブロック図。
【図４】第２の実施形態におけるエレベータ制御装置の空冷ファンの回転駆動のための処理動作の一例を示すフローチャート。
【図５】第３の実施形態におけるエレベータ制御装置の空冷ファンの回転駆動のための処理動作の一例を示すフローチャート。
【図６】第４の実施形態におけるエレベータ制御装置の構成例を示すブロック図。
【図７】第４の実施形態におけるエレベータ制御装置の空冷ファンの回転駆動のための処理動作の一例を示すフローチャート。
【図８】第５の実施形態におけるエレベータ制御装置の構成例を示すブロック図。
【図９】第５の実施形態におけるエレベータ制御装置の空冷ファンの回転駆動のための処理動作の一例を示すフローチャート。
【図１０】第６の実施形態におけるエレベータ制御装置の構成例を示すブロック図。
【図１１】第６の実施形態におけるエレベータ制御装置の空冷ファンの回転駆動のための処理動作の一例を示すフローチャート。
【発明を実施するための形態】
【０００９】
以下、実施の形態について、図面を参照して説明する。  
（第１の実施形態）
まず、第１の実施形態について説明する。  
図１は、第１の実施形態におけるエレベータの制御装置の電力変換部を特記した構成例を示す図である。  
まず、このエレベータでは、建屋側配電系統の商用三相交流電源１に整流回路２が接続される。整流回路２はダイオードで構成され、商用三相交流電源１から出力される三相交流電力を直流電力に変換する。整流回路２の直流出力ライン間には平滑コンデンサ３が設けられる。平滑コンデンサ３は整流回路２で変換された直流電力に含まれる脈動分（リプル）を平滑化する。
【００１０】
また、整流回路２の直流出力ラインの低電位点には半導体スイッチング素子５のエミッタが接続される。半導体スイッチング素子５のコレクタと直流出力ラインの高電位点の間には、回生電力を消費する回生抵抗である抵抗器８が設けられる。この抵抗器８は２つの抵抗器が直接接続されたものである。また、半導体スイッチング素子５のコレクタはダイオードのアノードと接続され、このダイオードのカソードは直流出力ラインの高電位点に接続される。
【００１１】
整流回路２からみた半導体スイッチング素子５の後段にはインバータ６が設けられる。インバータ６はダイオードおよびスイッチング素子、例えばトランジスタで構成され、平滑コンデンサ３で平滑化された直流電力をＰＷＭ（Pulse Width Modulation）制御により可変電圧可変周波数の交流電力に変換して電動機７に供給する。
【００１２】
抵抗器８の近傍には当該抵抗器８を空冷するためのファン９が設けられる。また、抵抗器８の発熱部分には、当該抵抗器８の温度を検出するための温度センサ１０が設けられる。
【００１３】
また、電動機７の回転軸にはシーブ１１が取り付けられており、そこに巻き掛けられたロープ１２を介して乗りかご１３とカウンタウェイト１４が昇降路内をつるべ式に昇降動作する。電動機７は、インバータ６から出力された交流電力で駆動して乗りかご１３を昇降させる。
【００１４】
抵抗器８は、回生電力を熱エネルギーに変換するための抵抗である。半導体スイッチング素子５は、回生運転時に直流出力ラインの電圧が所定以上となった場合にＯＮ状態となり、インバータ６から逆流してくる回生電力を抵抗器８に流す。  
すなわち、例えば乗りかご１３が昇降路の下方向に動く場合に、そのときの乗りかご１３の荷重がカウンタウェイト１４より重ければ、動力を必要としないため、電動機７が発電機として機能することになり、回生電力が生じる。また、乗りかご１３が上方向に動く場合に、そのときの乗りかご１３の荷重がカウンタウェイト１４より軽ければ、動力を必要としないため、回生電力が生じる。このように、動力を必要とせずに乗りかごを運転することを「回生運転」と呼び、その逆に、動力を必要とする運転を「力行運転」と呼んでいる。回生運転時に生じた電力は、半導体スイッチング素子５を介して抵抗器８で熱エネルギーに変換されて消費される。
【００１５】
また、このエレベータは、乗りかご１３の運転制御を行なうためのエレベータ制御盤２０を備える。このエレベータ制御盤２０は、ＣＰＵ、ＲＯＭ、ＲＡＭなどが搭載されたコンピュータによって構成され、ファン運転制御部２１、走行時抵抗温度予測部２２、制御電流算出部２３、抵抗温度測定部２４、判別部２５、荷重検出部２６、記憶装置２７、電流制御部２８を有する。
【００１６】
ファン運転制御部２１は、ファン９の所定回転数による駆動または停止を制御する。走行時抵抗温度予測部２２は、乗りかご１３の次の応答予定階までの走行パターンにしたがった走行における抵抗器８の温度を予測する。制御電流算出部２３は、回生運転開始時から乗りかご１３が次の行先階に応答するまでの走行パターンに対応するインバータ６の制御電流値を算出する。
【００１７】
抵抗温度測定部２４は、温度センサ１０による出力結果をもとに、抵抗器８の温度を測定する。判別部２５は、乗りかご１３の走行パターンが回生運転による走行パターンであるか否かを判別する。荷重検出部２６は、乗りかご１３のかご床に備えられた荷重センサ１３ａによるテールコードを介した出力結果をもとに、乗りかご１３内の荷重値を検出する。
【００１８】
記憶装置２７は、不揮発性メモリなどの記憶媒体であり、ファン運転制御部２１、走行時抵抗温度予測部２２、制御電流算出部２３、抵抗温度測定部２４、判別部２５、荷重検出部２６、電流制御部２８による処理動作のための制御プログラムを記憶するほか、抵抗温度基準値記憶部２７ａを有する。この抵抗温度基準値記憶部２７ａは、ファン駆動の有無を切り替えるための抵抗器８の温度の基準値を記憶する。この基準値は、抵抗器の過度の温度上昇を防ぐためのファン駆動の基準値である。また、この基準値は、抵抗器８の破損を防ぐために直ちに空冷を要する温度より余裕をもたせた温度値である。電流制御部２８は、乗りかご１３の走行パターンにしたがってインバータ６の電流を制御する。
【００１９】
次に、図１に示した構成のエレベータの動作について説明する。  
図２は、第１の実施形態におけるエレベータ制御装置の空冷ファンの回転駆動のための処理動作の一例を示すフローチャートである。  
初期状態では、エレベータは力行運転を行なっており、抵抗器８の空冷の必要がないとしてファン９の回転駆動が停止しているものとする。そして、新たなホール呼びまたはかご呼びが登録されるなどして、乗りかご１３の新たな走行パターンを生成した場合、エレベータ制御盤２０の荷重検出部２６は、乗りかご１３のかご床の荷重センサ１３ａからの出力結果をもとに、乗りかご１３内の荷重値を検出する（ステップＳ１）。
【００２０】
そして、エレベータ制御盤２０の判別部２５は、荷重検出部２６により検出した荷重値、および、生成した走行パターンにしたがって乗りかご１３が次に応答する行先階までの昇降方向をもとに、乗りかご１３の次の行先階までの走行パターンが回生運転による走行パターンであるか否かを判別する（ステップＳ２）。
【００２１】
乗りかご１３の次の行先階までの走行パターンが回生運転による走行パターンであると判別部２５により判別した場合（ステップＳ３のＹＥＳ）、エレベータ制御盤２０の制御電流算出部２３は、回生運転開始から乗りかご１３が次の行先階に応答するまでの走行パターンに対応するインバータ６の制御電流値を当該走行パターンにおけるトルク指令信号および速度信号の積をもとに算出し、この制御電流値、記憶装置２７に記憶される抵抗器８の抵抗値、および走行パターンにおける回生運転開始時から乗りかご１３が次の行先階へ応答するまでの所要時間をもとに、ジュールの法則にしたがって、次の行先階までに発生する回生エネルギー量を算出する（ステップＳ４）。
【００２２】
そして、エレベータ制御盤２０の抵抗温度測定部２４は、温度センサ１０からの出力結果をもとに、抵抗器８の現在の温度を測定する（ステップＳ５）。  
エレベータ制御盤２０の走行時抵抗温度予測部２２は、制御電流算出部２３により算出した回生エネルギー量をもとに、回生運転開始から乗りかご１３が次の行先階に応答するまでの抵抗器８の温度上昇値を予測し、この温度上昇値を抵抗温度測定部２４により測定した抵抗器８の現在の温度に反映することで、次の行先階までの回生走行時の抵抗器８の温度を予測する（ステップＳ６）。抵抗器８の温度上昇値は、抵抗器８の比熱の逆数を抵抗器８の質量で除した値に、前述したように算出した回生エネルギー量を乗ずることで求められる。
【００２３】
エレベータ制御盤２０のファン運転制御部２１は、走行時抵抗温度予測部２２により予測した次の行先階までの回生走行時の抵抗器８の温度の最大値が、記憶装置２７の抵抗温度基準値記憶部２７ａに記憶される基準値以上である場合には（ステップＳ７のＹＥＳ）、ファン９の回転駆動を開始する（ステップＳ８）。
【００２４】
一方、ファン運転制御部２１は、走行時抵抗温度予測部２２により予測した次の行先階までの抵抗器８の温度の最大値が前述した基準値未満である場合（ステップＳ７のＮＯ）、もしくは、乗りかご１３の次の行先階までの走行パターンが回生運転による走行パターンでない場合には（ステップＳ３のＮＯ）、ファン９の回転駆動を行なわずに停止させる（ステップＳ９）。
【００２５】
以上のように、第１の実施形態におけるエレベータでは、乗りかごの次の行先階までの走行パターンが回生運転による走行パターンであって、回生運転開始から乗りかご１３が次の行先階に応答するまでの抵抗器８の予測温度値が所定の基準値未満である場合にはファン９の回転駆動を停止する。よって、回生運転時における電力の無駄な消費を防止することができる。
【００２６】
（第２の実施形態）
次に、第２の実施形態について説明する。なお、以下の各実施形態におけるエレベータの構成のうち図１に示したものと同一部分の説明は省略する。  
本実施形態は、第１の実施形態のような温度センサを用いずに、回生運転終了時における抵抗器８の予測温度値をもとに当該抵抗器８の現在の温度を推定し、この推定した温度をもとに、新たな回生運転による抵抗器８の温度予測を行なうものである。  
図３は、第２の実施形態におけるエレベータ制御装置の構成例を示すブロック図である。  
図３に示すように、本実施形態では、第１の実施形態と比較して、抵抗器８の温度センサ１０を備えていない。また、第１の実施形態と比較して、エレベータ制御盤２０は、抵抗温度測定部２４を備えず、抵抗器８の現在の温度を推定する抵抗温度推定部２９を備える。また、エレベータ制御盤２０の記憶装置２７は、抵抗温度予測値記憶部２７ｂ、抵抗温度初期値記憶部２７ｃをさらに有する。
【００２７】
抵抗温度予測値記憶部２７ｂは、走行時抵抗温度予測部２２により予測した抵抗器８の温度のうち、前回の回生運転終了時における予測温度値を記憶する。この記憶された温度値は、エレベータの回生運転が終了してから十分な時間である所定時間が経過した場合には消去される。
【００２８】
抵抗温度初期値記憶部２７ｃは、抵抗器８の温度値の初期値を記憶する。この初期値は、エレベータの回生運転が終了して前述した所定時間が経過した場合の標準的な温度値である。
【００２９】
図４は、第２の実施形態におけるエレベータ制御装置の空冷ファンの回転駆動のための処理動作の一例を示すフローチャートである。  
まず、第１の実施形態で説明したステップＳ１からＳ３までの処理がなされる。そして、乗りかご１３の次の行先階までの走行パターンが回生運転による走行パターンである場合（ステップＳ３のＹＥＳ）、走行時抵抗温度予測部２２は、抵抗温度予測値記憶部２７ｂに予測温度値が記憶されているか否かを判別する（ステップＳ１１）。
【００３０】
走行時抵抗温度予測部２２は、抵抗温度予測値記憶部２７ｂに予測温度値が記憶されていなければ（ステップＳ１１のＮＯ）、エレベータの回生運転が終了してから十分な時間である所定時間が経過して予測温度値が消去されているとして、制御電流算出部２３は、回生運転開始時から乗りかご１３が次の行先階に応答するまでの走行パターンに対応するインバータ６の制御電流値を算出し、この制御電流値、記憶装置２７に記憶される抵抗器８の抵抗値、および走行パターンにおける回生運転開始時から乗りかご１３が次の行先階へ応答するまでの所要時間をもとに、ジュールの法則にしたがって、次の行先階までに発生する回生エネルギー量を算出する（ステップＳ４）。
【００３１】
そして、走行時抵抗温度予測部２２は、抵抗温度初期値記憶部２７ｃから抵抗器８の温度値の初期値を読み出す（ステップＳ１２）。  
エレベータ制御盤２０の走行時抵抗温度予測部２２は、制御電流算出部２３により算出した回生エネルギー量をもとに、回生運転開始から乗りかご１３が次の行先階に応答するまでの抵抗器８の温度上昇値を予測し、この温度上昇値を、抵抗温度初期値記憶部２７ｃから読み出した抵抗器８の温度値の初期値に反映することで、次の行先階までの回生走行時の抵抗器８の温度を予測する（ステップＳ１３）。
【００３２】
一方、抵抗温度予測値記憶部２７ｂに予測温度値が記憶されていれば（ステップＳ１１のＹＥＳ）、抵抗温度推定部２９は、抵抗温度予測値記憶部２７ｂから前回の回生運転終了時の抵抗器８の温度予測値を読み出し（ステップＳ１４）、前回の回生運転終了時からの経過時間を算出する（ステップＳ１５）。
【００３３】
エレベータ制御盤２０の抵抗温度推定部２９は、ステップＳ１４で読み出した温度予測値およびステップＳ１５で算出した経過時間をもとに、抵抗器８の現在の温度を推定する（ステップＳ１６）。
【００３４】
制御電流算出部２３は、回生運転開始から乗りかご１３が次の行先階に応答するまでの走行パターンに対応するインバータ６の制御電流値を算出し、この制御電流値、記憶装置２７に記憶される抵抗器８の抵抗値、および走行パターンにおける回生運転開始時から乗りかご１３が次の行先階へ応答するまでの所要時間をもとに、ジュールの法則にしたがって、次の行先階までに発生する回生エネルギー量を算出する（ステップＳ１７）。
【００３５】
エレベータ制御盤２０の走行時抵抗温度予測部２２は、制御電流算出部２３により算出した回生エネルギー量、ステップＳ１６で算出した経過時間をもとに、回生運転開始から乗りかご１３が次の行先階に応答するまでの抵抗器８の温度上昇値を予測し、この温度上昇値を、ステップＳ１６で推定した抵抗器８の現在の温度に反映することで、次の行先階までの回生走行時の抵抗器８の温度を予測する（ステップＳ１８）。
【００３６】
エレベータ制御盤２０のファン運転制御部２１は、ステップＳ１３またはＳ１７で走行時抵抗温度予測部２２により予測した次の行先階までの抵抗器８の温度の最大値が、抵抗温度基準値記憶部２７ａに記憶される基準値以上である場合には（ステップＳ７のＹＥＳ）、ファン９の回転駆動を開始する（ステップＳ８）。
【００３７】
また、ファン運転制御部２１は、走行時抵抗温度予測部２２により予測した次の行先階までの抵抗器８の温度の最大値が前述した基準値未満である場合（ステップＳ７のＮＯ）、もしくは、乗りかご１３の次の行先階までの走行パターンが回生運転による走行パターンでない場合には（ステップＳ３のＮＯ）、ファン９の回転駆動を行なわずに停止状態とする（ステップＳ９）。
【００３８】
以上のように、第２の実施形態におけるエレベータでは、温度センサによる温度検出を行なわなくとも、前回の回生運転終了時の温度予測値および経過時間をもとに、乗りかご１３の次の行先階までの走行パターンが回生運転による走行パターンであって、回生運転開始から乗りかご１３が次の行先階に応答するまでの抵抗器８の予測温度値が所定の基準値未満である場合にはファン９の回転駆動を停止する。よって、第１の実施形態と同様に、回生運転時における電力の無駄な消費を防止することができる。
【００３９】
（第３の実施形態）
次に、第３の実施形態について説明する。本実施形態は、新たな呼びが登録された時点で、乗りかごの次の行先階までの走行パターンが回生運転による走行パターンである場合に、第１の実施形態で説明した温度予測を行なう前に予めファンを駆動させて抵抗器の空冷を行なうものである。
【００４０】
図５は、第３の実施形態におけるエレベータ制御装置の空冷ファンの回転駆動のための処理動作の一例を示すフローチャートである。  
まず、第１の実施形態で説明したステップＳ１からＳ３までの処理がなされる。そして、乗りかご１３の次の行先階までの走行パターンが回生運転による走行パターンである場合（ステップＳ３のＹＥＳ）、エレベータ制御盤２０のファン運転制御部２１は、ファン９の回転駆動を開始し（ステップＳ２１）、第１の実施形態で説明したステップＳ４以降の処理がなされる。また、乗りかご１３の次の行先階までの走行パターンが回生運転による走行パターンでない場合には（ステップＳ３のＮＯ）、ファン９の回転駆動を行なわずに停止させる（ステップＳ９）。
【００４１】
以上のように、第３の実施形態におけるエレベータでは、呼びが登録された時点で、乗りかご１３の次の行先階までの走行パターンが回生運転による走行パターンである場合に、温度予測を行なう前に予めファン９が駆動して抵抗器８の空冷が開始される。よって、第１の実施形態のように、乗りかごの次の行先階までの走行パターンが回生運転による走行パターンであって、回生運転開始から乗りかご１３が次の行先階に応答するまでの抵抗器８の予測温度値が所定の基準値以上である場合にファン９の回転駆動を開始する場合と比較して、抵抗器８の空冷が早く開始されるので、抵抗器８の冷却効率が上昇し、当該抵抗器８の温度上昇の抑制効果を高めることができる。
【００４２】
（第４の実施形態）
次に、第４の実施形態について説明する。本実施形態は、ファン９が抵抗器８の空冷とインバータ６のスイッチング素子の空冷とを兼ね、スイッチング素子の温度が基準値以上であることが予測される場合には、回生運転時の抵抗器８の温度の予測を経ることなくファン９が駆動するように制御するものである。
【００４３】
また、本実施形態は、スイッチング素子の温度が基準値未満である場合でも、回生運転時に抵抗器８の温度が基準値以上となることが予測される場合にはファン９が駆動するように制御するものである。
【００４４】
図６は、第４の実施形態におけるエレベータ制御装置の構成例を示すブロック図である。  
図６に示すように、本実施形態では、第１の実施形態と比較して、ファン９は、抵抗器８とインバータ６のスイッチング素子の空冷とをともに行なうものであり、インバータ６のスイッチング素子の発熱部分には、このスイッチング素子の温度を検出するための素子温度センサ３０がさらに設けられる。
【００４５】
また、第１の実施形態と比較して、エレベータ制御盤２０は、素子温度測定部３１をさらに有する。また、このエレベータ制御盤２０の記憶装置２７は、素子温度基準値記憶部２７ｄをさらに有する。
【００４６】
素子温度測定部３１は、素子温度センサ３０による出力結果をもとに、インバータ６のスイッチング素子の温度を測定する。  
エレベータ制御盤２０の記憶装置２７の素子温度基準値記憶部２７ｄは、ファン駆動の有無を切り替えるためのインバータ６のスイッチング素子の温度の基準値を記憶する。この基準値は、インバータ６のスイッチング素子の過度の温度上昇を防ぐためのファン駆動の基準値である。
【００４７】
図７は、第４の実施形態におけるエレベータ制御装置の空冷ファンの回転駆動のための処理動作の一例を示すフローチャートである。  
まず、エレベータ制御盤２０の素子温度測定部３１は、素子温度センサ３０からの出力結果をもとに、インバータ６のスイッチング素子の現在の温度を測定する（ステップＳ３１）。
【００４８】
エレベータ制御盤２０のファン運転制御部２１は、素子温度測定部３１により測定したインバータ６のスイッチング素子の温度が、記憶装置２７の素子温度基準値記憶部２７ｄに記憶される基準値以上である場合には（ステップＳ３２のＹＥＳ）、このスイッチング素子の空冷が必要であるとして、ファン９の回転駆動を開始する（ステップＳ８）。
【００４９】
一方、素子温度測定部３１により測定した温度が前述した基準値未満である場合（ステップＳ３２のＮＯ）には、第１の実施形態で説明したステップＳ１以降の処理がなされる
以上のように、第４の実施形態におけるエレベータでは、インバータ６のスイッチング素子の測定温度値が所定の基準値以上である場合には、スイッチング素子を空冷するために、抵抗器８の温度予測を行なうことなくファン９を回転駆動させる。よって、第１の実施形態で説明した効果に加え、インバータ６のスイッチング素子の過度な温度上昇を防止することができる。
【００５０】
また、抵抗器８とインバータ６のスイッチング素子との距離が離れている場合には、抵抗器８用のファンとインバータ６のスイッチング素子用のファンとを別々に設けてもよい。この場合、ファン運転制御部２１は、走行時抵抗温度予測部２２により予測した抵抗器８の温度の最大値が前述した基準値以上である場合には抵抗器８用のファン９の回転駆動を開始し、素子温度測定部３１により測定したインバータ６のスイッチング素子の温度が前述した基準値以上である場合にはインバータ６のスイッチング素子用のファン９の回転駆動を開始すればよい。
【００５１】
（第５の実施形態）
次に、第５の実施形態について説明する。本実施形態は、ファン９が抵抗器８の空冷とインバータ６のスイッチング素子の空冷とを兼ね、走行時抵抗温度予測部２２により予測した抵抗器８の温度の最大値が基準値以上であって当該基準値より高い許容温度値以下である場合には、乗りかご１３の次の行先階までの回生運転による走行時におけるインバータ６のスイッチング素子の温度変化が所定の範囲内になるように、ファン９を制御するものである。
【００５２】
図８は、第５の実施形態におけるエレベータ制御装置の構成例を示すブロック図である。  
本実施形態におけるエレベータ制御盤２０の記憶装置２７は、第４の実施形態と比較して、抵抗温度許容値記憶部２７ｅをさらに有する。  
この抵抗温度許容値記憶部２７ｅは、抵抗温度基準値記憶部２７ａに記憶される基準値より高い温度である、抵抗器８の許容温度値を記憶する。この許容温度値は、直ちに抵抗器８の空冷を要する温度値である。
【００５３】
図９は、第５の実施形態におけるエレベータ制御装置の空冷ファンの回転駆動のための処理動作の一例を示すフローチャートである。  
まず、第４の実施形態で説明したステップＳ３１からＳ７までの処理がなされる。そして、エレベータ制御盤２０の走行時抵抗温度予測部２２は、走行時抵抗温度予測部２２により予測した次の行先階までの抵抗器８の温度の最大値が、記憶装置２７の抵抗温度基準値記憶部２７ａに記憶される基準値以上である場合には（ステップＳ７のＹＥＳ）、走行時抵抗温度予測部２２により予測した次の行先階までの抵抗器８の温度の最大値が、記憶装置２７の抵抗温度許容値記憶部２７ｅに記憶される許容温度値以上であるか否かを判別する（ステップＳ４１）。
【００５４】
走行時抵抗温度予測部２２により予測した次の行先階までの抵抗器８の温度の最大値が、記憶装置２７の抵抗温度許容値記憶部２７ｅに記憶される許容温度値以下である場合には（ステップＳ４１のＹＥＳ）、エレベータ制御盤２０の素子温度測定部３１は、素子温度センサ３０からの出力結果をもとに、インバータ６のスイッチング素子の現在の温度を測定する（ステップＳ４２）。
【００５５】
そして、ファン運転制御部２１は、素子温度測定部３１により測定した温度などをもとに、乗りかご１３の次の行先階までの回生運転による走行時におけるインバータ６のスイッチング素子の温度変化、つまり温度の最大値と最小値との差分が所定の範囲内になるように、ファン９を回転駆動させたり停止させたりする制御を行なう（ステップＳ４３）。
【００５６】
また、走行時抵抗温度予測部２２により予測した次の行先階までの抵抗器８の温度の最大値が、抵抗温度許容値記憶部２７ｅに記憶される許容温度値を超える場合には（ステップＳ４１のＮＯ）、抵抗器８の破損を防止するために、ファン運転制御部２１は、ファン９の回転駆動を開始し、この駆動を維持する（ステップＳ８）。
【００５７】
以上のように、第５の実施形態におけるエレベータでは、第４の実施形態で説明した特徴に加え、走行時抵抗温度予測部２２により予測した次の行先階までの抵抗器８の温度の最大値が基準値以上であるが、当該基準値より高い許容温度値以下である場合には、乗りかご１３の次の行先階までの回生運転による走行時におけるインバータ６のスイッチング素子の温度変化が所定の範囲内になるように、ファン９を回転駆動させたり停止させたりする制御を行なう。よって、インバータ６のスイッチング素子の過度な温度変化を防止することができるので、スイッチング素子の寿命への悪影響を防止することができる。
【００５８】
また、走行時抵抗温度予測部２２により予測した次の行先階までの抵抗器８の温度の最大値が、抵抗温度許容値記憶部２７ｅに記憶される許容温度値を超える場合には、ファン９の回転駆動を開始するので、インバータ６のスイッチング素子の過度な温度変化の防止に優先して、抵抗器８の破損を防止することができる。
【００５９】
（第６の実施形態）
次に、第６の実施形態について説明する。本実施形態は、ファン９が抵抗器８の空冷とインバータ６のスイッチング素子の空冷とを兼ね、回生運転時におけるファン駆動によりスイッチング素子の温度が下がりすぎた場合に、ファン９を逆回転させることで、抵抗器８からの熱を含んだ風をスイッチング素子に届くようにして当該スイッチング素子の温度を適正な値に制御するものである。
【００６０】
図１０は、第６の実施形態におけるエレベータ制御装置の構成例を示すブロック図である。  
本実施形態では、ファン９は、抵抗器８とインバータ６のスイッチング素子との間に位置している。  
本実施形態におけるエレベータ制御盤２０の記憶装置２７は、第４の実施形態と比較して、素子温度第２基準値記憶部２７ｆをさらに有する。
【００６１】
素子温度第２基準値記憶部２７ｆは、素子温度基準値記憶部２７ｄに記憶される基準値より低い温度である、インバータ６のスイッチング素子の温度の下限値である第２基準値を記憶する。この第２基準値は、インバータ６のスイッチング素子の過度の温度変化を防ぐためのファン駆動の基準値である。
【００６２】
図１１は、第６の実施形態におけるエレベータ制御装置の空冷ファンの回転駆動のための処理動作の一例を示すフローチャートである。  
まず、第４の実施形態で説明したステップＳ３１からＳ７までの処理がなされる。
【００６３】
そして、エレベータ制御盤２０のファン運転制御部２１は、走行時抵抗温度予測部２２により予測した抵抗器８の温度の最大値が、記憶装置２７の抵抗温度基準値記憶部２７ａに記憶される基準値以上である場合には（ステップＳ７のＹＥＳ）、ファン９の回転駆動を開始する（ステップＳ８）。
【００６４】
そして、エレベータ制御盤２０の素子温度測定部３１は、素子温度センサ３０からの出力結果をもとに、インバータ６のスイッチング素子の現在の温度を測定する（ステップＳ５１）。
【００６５】
ファン運転制御部２１は、素子温度測定部３１により測定した温度が素子温度第２基準値記憶部２７ｆに記憶される第２基準値以下であるか否かを判別する（ステップＳ５２）。
【００６６】
ファン運転制御部２１は、素子温度測定部３１により測定した温度が素子温度第２基準値記憶部２７ｆに記憶される第２基準値以下である場合には（ステップＳ５２のＹＥＳ）、インバータ６のスイッチング素子の温度が過度に低くなっているとして、ファン９を逆回転駆動させる（ステップＳ５３）。これにより、抵抗器８から発せられた熱がインバータ６のスイッチング素子に伝達されて、当該スイッチング素子の温度が上昇する。
【００６７】
一方、ファン運転制御部２１は、素子温度測定部３１により測定した温度が素子温度第２基準値記憶部２７ｆに記憶される第２基準値を超える場合には（ステップＳ５２のＮＯ）、ファン９の回転駆動を継続する（ステップＳ５４）。
【００６８】
以上のように、第６の実施形態におけるエレベータでは、第４の実施形態で説明した特徴に加え、ファン運転制御部２１は、素子温度測定部３１により測定した温度が素子温度第２基準値記憶部２７ｆに記憶される第２基準値以下である場合には、ファン９を逆回転させることで、抵抗器８から発せられた熱がインバータ６のスイッチング素子に伝達されて、当該スイッチング素子の温度が上昇する。よって、インバータ６のスイッチング素子の温度を適正な値に保つことができる。
【００６９】
これらの各実施形態によれば、発熱部品の空冷のためのファンの適切な駆動制御を行なうことが可能になるエレベータを提供することができる。  
発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７０】
１…商用三相交流電源、２…整流回路、３…平滑コンデンサ、５…半導体スイッチング素子、６…インバータ、７…電動機、８…抵抗器、９…空冷ファン、１０…温度センサ、１１…シーブ、１２…メインロープ、１３…乗りかご、１３ａ…荷重センサ、１４…カウンタウェイト、２０…エレベータ制御盤、２１…ファン運転制御部、２２…走行時抵抗温度予測部、２３…制御電流算出部、２４…抵抗温度測定部、２５…判別部、２６…荷重検出部、２７…記憶装置、２７ａ…抵抗温度基準値記憶部、２７ｂ…抵抗温度予測値記憶部、２７ｃ…抵抗温度初期値記憶部、２７ｄ…素子温度基準値記憶部、２７ｅ…抵抗温度許容値記憶部、２７ｆ…素子温度第２基準値記憶部、２８…電流制御部、２９…温度推定部、３０…素子温度センサ、３１…素子温度測定部。
【図１】
2012144357.tif 000003
【図２】
2012144357.tif 000004
【図３】
2012144357.tif 000005
【図４】
2012144357.tif 000006
【図５】
2012144357.tif 000007
【図６】
2012144357.tif 000008
【図７】
2012144357.tif 000009
【図８】
2012144357.tif 000010
【図９】
2012144357.tif 000011
【図１０】
2012144357.tif 000012
【図１１】
2012144357.tif 000013